(57)【要約】【技術課題】  洗い場側から排水トラップ内及び集水管の改修工事ができる方法と装置を提供する。【解決手段】  洗い場側において、排水トラップ１０５の集水口１０９から集水管１０６の深さを計測してこの深さに合わせた長さの樹脂管１を用意し、集水管１０６内の下端にパテ７を塗布する。次に、下端側を加熱した前記樹脂管１内に拡径部１３を加熱した拡径装置１２を挿入し、この拡径装置１２を操作して樹脂管１の加熱軟化部分を拡径し、パテ７を塗布した集水管１０６に圧着させる。次に、排水トラップ１０５の内面にパテ７を塗布し、この排水トラップ１０５内にカバー２３を落し込み、パテ７で固定することにより、排水トラップ１０５内と集水管１０６の改修を行う。【選択図】        図  １０
2005226311.tif 000002
【特許請求の範囲】
【請求項１】
ａ．排水トラップ内から目皿とお碗を取り外す、
ｂ．次に、排水トラップの集水口側から、この集水口の上端と集水管の下端までの深さを計測してこの深さに合わせた長さの樹脂管を用意する、
ｃ．次に、パテ塗り樹脂管の先端側にパテを塗布し、このパテを塗布したパテ塗り樹脂管を排水トラップの集水口から集水管内に挿入して、集水管の下端内壁面にパテを塗布する、
ｄ．次に、下端側を加熱して軟化させた前記樹脂管内に拡径部を加熱した拡径装置を挿入して加熱された拡径部と前記樹脂管の加熱軟化部を一致させる、
ｅ．次に、前記拡径装置を組み込んだ樹脂管の上端開口部に鍔付の管口ストッパーを取り付ける、
ｆ．次に、前記管口ストッパーが集水口に当るまで拡径装置を挿入した樹脂管を排水トラップ側から集水管内に挿入し、前記ｃ．で塗布したパテの位置に樹脂管の加熱軟化部を一致させる、
ｇ．次に、拡径装置を操作してこの拡径部を拡径することにより、樹脂管の加熱軟化部分を拡径してこの拡径部分を集水管の下端内面であって、パテを塗布した部分に圧着させる、
ｈ．次に、拡径装置の拡径部を収径させたのち、拡径装置を集水管及び排水トラップ内から引き上げると共に、樹脂管から管ロストッパーを取り外す、
ｉ．次に、排水トラップの内面にパテを塗布する、
ｊ．次に、下端部が断面Ｕ字状に連結されていて、上端が内側に逆Ｕ字状に折り返された内管と外管の２重構造から成る樹脂製の排水トラップ内面カバー装置を排水トラップ内に落し込んで内管側の折り返し部分を集水口と樹脂管の上端縁に被冠させることにより、集水口と樹脂管の上端縁を一体化すると共に、排水トラップ内面カバー装置をパテの粘着力で排水トラップ内に固定する、
ｋ．次に、排水トラップ内にお碗と目皿を戻して作業を終了する、
ｌ．ことを特徴とする集合住宅における浴室排水トラップ及び集水管の改修方法。
【請求項２】
円筒体の先端側の側壁に開口を形成して成るパテ塗り樹脂管と、前記パテ塗り樹脂管の先端に着脱自在に嵌合される円錐形状の反射体と、前記パテ塗り樹脂管の上端内に照明レンズ側が嵌合自在であって、前記照明レンズを経由して照射した証明光が前記反射体の位置において集光調整自在であり、且つ、上端から集水管内を覗き見ることができる照明具と、から成る集合住宅における浴室排水トラップ及び集水管の改修方法に用いられるパテ塗り装置。
【請求項３】
先端に受圧板を形成して成る外筒と、この外筒内に上端側から挿入されていて、先端を前記外筒から突き出し、この先端に加圧板を形成し、前記外筒とねじで結合されている回転軸と、前記外筒側の受圧板と回転軸側の加圧板間に挟持されていて、回転軸を回転したときに、この回転軸の上昇作用で加圧板が受圧板側に移動してその間隔を狭めたときに加圧されて拡径するゴム質の拡径部材と、から成る集合住宅における浴室排水トラップ及び集水管の改修方法に用いられるパテ集水管拡径装置。
【請求項４】
内管の上端を内側にＵ字状に折り返し、この折り返し部分を排水トラップの集水口と集水管の上端に被冠させて集水口と集水管の双方を固定し、且つ排水トラップの内壁面にパテにより密着し、内管と外管は底の部分において断面Ｕ字状に一体的に連結された構成の集合住宅における浴室排水トラップ及び集水管の改修方法に用いられる排水トラップ内面カバー装置。
【発明の詳細な説明】
【技術分野】
【０００１】
本発明は、経年劣化した集合住宅における浴室排水トラップ及び集水管の改修方法及びその装置に関するものである。
【背景技術】
【０００２】
ユニットバスが施工される以前の集合住宅であって、浴室内の洗い場が現場施工によりコンクリートが打設され、タイルが張られた所謂湿式の現場に取り付けられた排水トラップは、コンクリートスラブ内に埋め込まれている。また、このようにして湿式施工されている排水トラップから下の集水管と称される部分には、白ガス管と称される配管用炭素鋼鋼管が用いられていて、この白ガス管の寿命は３５〜３５年と言われている。
このため、３５〜３５年を経過した集合住宅においては、排水トラップ部分及び集水管部分に錆を含む経年劣化現象が発生していることから、この改修が必要になる。
しかし、湿式で施工された浴室の洗い場においては、排水トラップが上記の通りコンクリートスラブ内に埋め込まれているため、錆が発生しても、コンクリートスラブを破壊しない限り改修作業ができない。そこで、従来は、手の届く範囲において研磨剤を用いたクリーニング作業で錆落しを行い、その上で錆止め剤を塗布したりしているのが現状である。
【０００３】
具体的な事例を図１５及び図１６に基づいて説明すると、図１５は集合住宅の浴室部分の上下階部分を示すもので、１００は浴室、１０１は浴槽、１０２は洗い場、１０３は洗い場のコンクリートスラブであって、すべて湿式工法で施工されたものである。１０４は階下の天井板である。
１０５は洗い場１０２のコンクリートスラブ１０３において、コンクリート打設時に現場施工された排水トラップ（トラップ本体）であって、この排水トラップ１０５から下は、集水管１０６、エルボ管１０７、階下天井裏空間に横引きされた横枝管１０８から成る。
【０００４】
そして、排水トラップ１０５は、図１６に示すように、前記集水管１０６の上端に続く集水口１０９と、この集水口１０９に被冠されたお碗１１０と、ネジ１１３で止められている高さ調整管１１１と、この調整管１１１に取り付けられた目皿１１２とから成り、材質はすべて金属である。１１３は排水トラップ本体に一体成形された鍔であって、この鍔１１３を含む排水とラップ１０５の上半がコンクリートスラブ１０３内に位置している。
このため、排水トラップ１０５及びこの下の集水管１０６部分の改修工事を行うためには、前述のとおり洗い場１０２のコンクリートスラブ１０３を破壊しなければならないが、このような工事は極めて大がかりとなり、工期及び工事費が高騰し、更に、階下の居住者に迷惑がかかると云う問題もあり、現実的には工事不可能である。特に、浴室１００内の排水トラップ１０５部分は、所有区分としては専有部分であって、共用部分ではないことも工事を困難にしている。
【発明の開示】
【発明が解決しようとする課題】
【０００５】
本発明は、斯る点に鑑みて提供されるものであって、その目的は、排水トラップ及びこの下の集水管の改修を洗い場（専有区分）側からだけで行うことができるようにして階下の居住者に迷惑をかけることがなく、工事は１時間前後で終了し、改修部品は少くて済み、工事費の安い、極めて有効な集合住宅における浴室排水トラップ及び集水管の改修方法及びその装置を提供することである。
【課題を解決するための手段】
【０００６】
上記目的を達成するため、請求項１に記載の発明においては、集合住宅における浴室排水トラップ及び集水管の改修方法において、
ａ．排水トラップ内から目皿とお碗を取り外す、
ｂ．次に、排水トラップの集水口側から、この集水口の上端と集水管の下端までの深さを計測して、この深さに合わせた長さの樹脂管を用意する、
ｃ．次に、パテ塗り樹脂管の先端側にパテを塗布し、このパテを塗布したパテ塗り樹脂管を排水トラップの集水口から集水管内に挿入して、集水管の下端内壁面にパテを塗布する、
ｄ．次に、下端側を加熱して軟化させた前記樹脂管内に拡径部を加熱した拡径装置を挿入して加熱された拡径部と前記樹脂管の加熱軟化部を一致させる、
ｅ．次に、前記拡径装置を組み込んだ樹脂管の上端開口部に鍔付の管口ストッパーを取り付ける、
ｆ．次に、前記管口ストッパーが集水口に当るまで拡径装置を挿入した樹脂管を排水トラップ側から集水管内に挿入し、前記ｃ．で塗布したパテの位置に樹脂管の加熱軟化部を一致させる、
ｇ．次に、拡径装置を操作してこの拡径部を拡径することにより、樹脂管の加熱軟化部分を拡径してこの拡径部分を集水管の下端内面であって、パテを塗布した部分に圧着させる、
ｈ．次に、拡径装置の拡径部を収径させたのち、拡径装置を集水管及び排水トラップ内から引き上げると共に、樹脂管から管ロストッパーを取り外す、
ｉ．次に、排水トラップの内面にパテを塗布する、
ｊ．次に、下端部が断面Ｕ字状に連結されていて、上端が内側にＵ字状に折り返された内管と外管の２重構造から成る樹脂製の排水トラップ内面カバー装置を排水トラップ内に落し込んで内管側の折り返し部分を集水口と樹脂管の上端縁に被冠させることにより、集水口と樹脂管の上端縁を一体化すると共に、排水トラップ内面カバー装置をパテの粘着力で排水トラップ内に固定する、
ｋ．次に、排水トラップ内にお碗と目皿を戻して作業を終了する、
ｌ．ことを特徴とするものである。
【０００７】
更に、請求項２に記載の発明においては、集合住宅における浴室排水トラップ及び集水管の改修方法に用いられるパテ塗り装置において、円筒体の先端側の側壁に開口を形成して成るパテ塗り樹脂管と、前記パテ塗り樹脂管の先端に着脱自在に嵌合される円錐形状の反射体と、前記パテ塗り樹脂管の上端内に照明レンズ側が嵌合自在であって、前記照明レンズを経由して照射した証明光が前記反射体の位置において集光調整自在であり、且つ、上端から排水管内を覗き見ることができる照明具と、から成ることを特徴とするものである。
本発明によると、集水管内において、パテ塗り位置を目視で確認しながら行うことができるため、パテが無用に辺りに塗りつけられたりすることがないと共に、パテの無駄を少くできる。
【０００８】
更に、請求項３に記載の発明においては、集合住宅における浴室排水トラップ及び集水管の改修方法に用いられる集水管拡径装置において、先端に受圧板を形成して成る外筒と、この外筒内に上端側から挿入されていて、先端を前記外筒から突き出し、この先端に加圧板を形成し、前記外筒とネジで結合されている回転軸と、前記外筒側の受圧板と回転軸側の加圧板間に挟持されていて、回転軸を回転したときに、この回転軸の上昇作用で加圧板が受圧板側に移動してその間隔を狭めたときに加圧されて拡径するゴム質の拡径部材と、から成ることを特徴とするものである。
本発明によると、集水管内において、無理なく樹脂管を拡径したり、圧着させたりすることができる。
【０００９】
更に、請求項４に記載の発明においては、集合住宅における浴室排水トラップ及び集水管の改修方法に用いられる排水トラップ内面カバー装置において、内管の上端を内側にＵ字状に折り返し、この折り返し部分を排水トラップの集水口と集水管の上端に被冠させて集水口と集水管の双方を固定し、且つ排水トラップの内壁面にパテにより密着し、内管と外管は底の部分において断面Ｕ字状に一体的に連結された構成であることを特徴とするものである。
本発明によると、集水管ばかりでなく、排水トラップ内も改修することができる。
【発明の効果】
【００１０】
本発明は、洗い場側において、排水トラップから目皿とお碗を取り除くだけで、すべての改修作業をこの洗い場側から行うことができるため、階下の居住者に迷惑をかけないで済む。
また、改修は、排水トラップから既存の集水管内に樹脂管をインサートすると共に、この樹脂管の先端側を膨大化させて集水管の内壁面にパテを用いて密着させることにより、毛細管現象により集水管の内壁面と樹脂管の外壁面との隙間に排水が上昇し、この隙間に残留して既存の集水管に再び錆を発生させたりする要因を取り除くことができる。
また、本発明は、改修に際し、その使用材料は、樹脂管と排水トラップ内面カバー装置及びパテだけであり、作業は、樹脂管と拡径部材の加熱とパテ塗りだけのため、通常は１時間前後で作業が終了する。よって、改修材料費、人件費を限界まで少くすることができると共に、その日のうちに浴室を使用することができるという便利さがある。
【実施例】
【００１１】
請求項１〜４に記載した本発明の実施例を図１〜図１４に基づいて詳述する。
図１（Ａ）は、排水トラップ１０５から図１６において説明した目皿１１２、お碗１１０を取り除いた状態を示すものである。但し、高さ調整管１１１はそのままであるが、図面上は省略してある。
先ず、作業に当っては、排水トラップ１０５の集水口１０９から集水管１０６の深さＡを金尺等を用いて測定し、この深さＡに合わせて（Ｂ）に示すように樹脂管１を切断する。
次に、図２に示すように、開口３を先端側に開設した円筒状のパテ塗り樹脂管２の上端開口部４に集光位置調整自在の照明具５の照明レンズ側を嵌合したのち、パテ塗り樹脂管２の先端部であって、開口３以外の部分にパテ容器６からパテ７を絞り出して塗りつける。上記パテ塗り樹脂管２の先端には、上面が円錐形状の反射体８が嵌合されており、照明光がこの反射体８で横方向に反射し、開口３から樹脂管２の先端内を照らしてパテ塗り位置を視認できるようにしている。なお、反射体８は、パテで汚れた際には、予備のものに交換する。また、上記照明具５は、筒状を呈し、上端に覗き孔９が形成されていて、この覗き孔９から照明レンズ及び開口３を介してパテ塗り位置及び量等を確認しながら、作業を行うことができる。
【００１２】
次に、図３に示すように、このパテ７を塗りつけたパテ塗り樹脂管２を排水トラップ１０５の集水口１０９から集水管１０６内に挿入し、図４に示すようにパテ塗り樹脂管２を斜めにしたり回転させながら、パテ７を集水管１０６の内面に塗りつける。十分にパテ７を塗りつけたのち、図５に示すように、集水管１０６及び排水トラップ１０５内からパテ塗り樹脂管２を引き上げる。このあと、照明具５で樹脂管２内のパテ７の塗り状況を目視確認する。
次に、図６に示すように、例えば電気コンロ１０に水を入れた容器１１をかけて水を加熱し、この加熱した湯の中に、拡径装置１２の拡径部１３をいれて拡径部１３を加熱軟化させる。そして、図７に示すように、拡径部１３を湯につけた容器１１を電気コンロ１０から外し、今度は図１で説明した樹脂管１の先端を電気コンロ１０で加熱して軟化させる。
【００１３】
ここで拡径装置１２の構成を説明しておくと、この拡径装置１２は、図８に示すように、外管１４の先端に受圧板１５を形成すると共に、外管１４の上端側からその内部に回転軸１６を挿入し、この回転軸１６の先端に加圧板１７を形成し、この加圧板１７と受圧板１５間にゴム製の拡径部１３が挟持され、外管１４の押えハンドル１８を手で押え、回転軸１６のねじ１６ａが螺合した環１９のハンドル１９ａを回転すると、ねじ１６ａと環１９の作用で、回転軸１６が上昇し、この上昇で加圧板１７が上昇して受圧板１５との間隔を狭め、この作用で拡径部１３が加圧されて半径方向に膨出し、拡径する構成である。
【００１４】
次に、図８（Ａ）に示すように、樹脂管１内に拡径装置１２を挿入して拡径部１３と樹脂管１の加熱部を一致させたのち、樹脂管１の上口に管口ストッパー２０を嵌合する。
管口ストッパー２０は、図８（Ｂ）に示すように、鍔部２１を形成した平面円形を呈し、樹脂管１の上口に嵌合するときに拡径装置１２（外管１４）を逃けるための割り２２が形成された構成である。
次に、図９に示すように、拡径装置１２を挿入した樹脂管１を管口ストッパー２０の鍔部２１が排水トラップ１０５の集水口１０９に当るまで集水管１０６内に挿入する。
次に、図１０に示すように拡径装置１２の回転軸１６を回転して、拡径部１３を膨大（拡径）化させてこの圧力で樹脂管１の軟化部を拡径１ｂする。この結果、樹脂管２の拡径１ｂした部分が、先程塗りつけたパテ７の部分に圧着する。
次に、図１１に示すように、回転軸１６を逆回転させて加圧板１７を下降させて拡径部１３を加圧から開放し、拡径部１３を収径させて拡径装置１２及び管口ストッパー２０を取り外す。
次に、図１２に示すように、排水トラップ１０５の内面全体にへらを用いてパテ７を塗りつけたのち、図１３に示すように、樹脂製の排水トラップ内面カバー装置２３をトラップ１０５内に落し込む。
【００１５】
ここで排水トラップ内面カバー装置２３の構成を説明すると、この排水トラップ内面カバー装置２３は、内管２４の上端を内側に逆Ｕ字状に折り曲げて折り返し２５を形成し、外管２６とは底部２７で断面Ｕ字状に連結して一体化された二重構造となっている。
排水トラップ１０５内に落し込まれた排水トラップ内面カバー装置２３は、図１３に示すように、折り返し２５が集水口１０９と樹脂管１の上端１ａに被冠されるため、双方を固定し、またパテ７で排水トラップ１０５の内面全体に密着する。
以上で改修作業は終わり、あとは図１４に示すように排水トラップ１０５内にお碗１１０を戻し、目皿１１２を高さ調整管１１１に取り付けると作業前の状態に戻る。
この結果、集水管１０６の内部には樹脂管１がインサートされ、排水トラップ１０５内は排水トラップ内面カバー装置２３で被われることにより、排水は既設の排水トラップ１０５内と集水管１０６内には一切触れなくなり、以降は錆発生の心配がなくなる。お碗１１０と目皿１１２はいつでも交換自在であるから、実施例の場合、改修の対象とはなっていない。
【図面の簡単な説明】
【００１６】
【図１】（Ａ）は改修工事対象となる排水トラップに接続されている集水管の寸法測定の説明図、（Ｂ）は集水管を測定結果に基づいて所定の長さに切断した状態の説明図。
【図２】パテ塗り樹脂管にパテを塗りつけている状態の説明図。
【図３】集水管内に照明具を取り付けたパテ塗り樹脂管を挿入した状態の説明図。
【図４】集水管内にパテを塗りつけている状態の説明図。
【図５】パテ塗り樹脂管を引き上げ、照明具で照らしながらパテの塗り状態を目視確認している状態の説明図。
【図６】拡径装置の拡径部を加熱軟化させている状態の説明図。
【図７】樹脂管を加熱軟化させている状態の説明図。
【図８】樹脂管内に拡径装置を挿入した状態の説明図。
【図９】樹脂管を管口ストッパーが集水口に当るまで集水管内に挿入した状態の説明図。
【図１０】拡径装置を操作して樹脂管を拡径させて、この拡径部を集水管に圧着した状態の説明図。
【図１１】排水トラップ内から拡径装置と管口ストッパーを取り外した状態の説明図。
【図１２】排水トラップ内面カバー装置をパテを塗りつけた排水トラップ内に落し込む状態の説明図。
【図１３】排水トラップ及び集水管の改修終了状態の説明図。
【図１４】改修を終り、元に戻った排水ストラップの説明図。
【図１５】改修対象となる上下階浴室の説明図。
【図１６】改修対象排水ストラップと集水管の説明図。
【符号の説明】
【００１７】
１  樹脂管
２  パテ塗り樹脂管
５  照明具
７  パテ
１２  拡径装置
２０  管口ストッパー
２３  排水トラップ内面カバー装置
１０５  排水トラップ
１０６  集水管
【図１】
2005226311.tif 000003
【図２】
2005226311.tif 000004
【図３】
2005226311.tif 000005
【図４】
2005226311.tif 000006
【図５】
2005226311.tif 000007
【図６】
2005226311.tif 000008
【図７】
2005226311.tif 000009
【図８】
2005226311.tif 000010
【図９】
2005226311.tif 000011
【図１０】
2005226311.tif 000012
【図１１】
2005226311.tif 000013
【図１２】
2005226311.tif 000014
【図１３】
2005226311.tif 000015
【図１４】
2005226311.tif 000016
【図１５】
2005226311.tif 000017
【図１６】
2005226311.tif 000018